(57)【要約】【課題】制御エリア変更に対応するための安価な照明制御システムであり、センサを動的に分離、取替え可能な照明システムを提供する。【解決手段】センサブロック１４は、自分がどのセンサを持っているかは、あらかじめ記憶している。センサブロック１４は制御ブロック１３に接続されると同時に電源の供給も受けるので、マイクロコンピュータが起動する。センサブロック１４のマイクロコンピュータは起動すると、まず、自分のセンサ種別を制御ブロック１３に送信する。制御ブロック１３のマイクロコンピュータはそのセンサ種別を記憶しておき、必要に応じて点灯回路１５の制御に用いることが可能となる。センサブロック１４には離脱通知ＳＷ２３を設けておき、センサブロック１４が取り外される場合は、センサブロック１４は制御ブロック１３に対して、離脱する離脱情報を送信する。【選択図】図１
2009170254.tif 000002
【特許請求の範囲】
【請求項１】
ランプ、前記ランプの点灯回路、照明制御空間内の情報を検出するセンサブロック、および前記センサブロックで検出した情報に基づいて前記点灯回路を制御する制御ブロックを含む複数の照明器具を有する照明システムであって、
前記センサブロックは、前記照明制御空間内の情報を検出するセンサデバイスと、前記センサデバイスの種別情報を送信する第１の通信用インターフェイスとを有するとともに、前記照明器具に付け外し自在に取り付けられ、
前記制御ブロックは、前記センサブロックと電力または通信の授受を行った場合に、前記センサデバイスの種別情報を受信する第２の通信用インターフェイスを有する照明システム。
【請求項２】
請求項１に記載の照明システムであって、
前記センサブロックは、前記制御ブロックから取り外される場合に、前記制御ブロックに離脱情報を送信する離脱通知スイッチを備える照明システム。
【請求項３】
請求項１に記載の照明システムであって、
前記センサブロックは、前記照明制御空間内の検出情報に前記センサデバイスの種別情報を付加して前記制御ブロックに定期的に送信し、
前記制御ブロックは、前記定期的な信号が所定期間受信されない場合に、前記センサブロックが取り外されたことを検出する照明システム。
【請求項４】
請求項１に記載の照明システムであって、
前記センサブロックと前記制御ブロックとは無線で通信の授受を行うものである照明システム。
【請求項５】
請求項４に記載の照明システムであって、
前記センサブロックは、前記制御ブロックとＩＤ情報を交換するための設定スイッチを備える照明システム。
【請求項６】
請求項１乃至５のいずれかに記載の照明システムであって、
前記センサブロックの動作電力は、非接触給電、バッテリー、太陽電池のうち、少なくとも１つ以上により供給される記載の照明システム。
【請求項７】
請求項６に記載の照明システムであって、
前記非接触給電、バッテリー、太陽電池の２つ以上を接続する複数のダイオードを備え、
前記非接触給電、バッテリー、太陽電池のうちで電圧の高いものを前記センサブロックの動作用電源とする照明システム。
【発明の詳細な説明】
【技術分野】
【０００１】
本発明は、空間の明るさを制御する照明システムに関し、特に、制御エリアを容易に変更可能とし、内部のセンサを分離、付替え可能な照明器具に関するものである。
【背景技術】
【０００２】
照明空間内で、エリア毎に制御を独立して運用するような場合、例えば、人を検出した場合に同一動作をさせるような制御をするシステムに対して、そのエリアを変更した場合にも対応するには、あらかじめ各照明器具全てにひとセンサを配置しておくことにより、制御エリアの変更に対応することができる。
【０００３】
特許文献１で開示されている手段では、器具側に機能拡張端子を装備し、その拡張端子に合致する構造を持った様々な機能、例えば、人検知機能や、下面反射を計測する明るさセンサを持つ機能プラグとの組合せにより、上記課題を解決することができる。
【特許文献１】特開2002-110376号公報
【発明の開示】
【発明が解決しようとする課題】
【０００４】
しかしながら、各照明器具全てに全てのセンサをあらかじめ搭載しておくという手段では、使用するかどうか分からないセンサを搭載することになり、高コストであることは明確な課題である。また、今後、新たにセンサ機能が実現されてもセンサの取替えができないため、そのセンサは利用できないので機能の拡張ができないという課題がある。
【０００５】
照明器具同士が通信線等でネットワーク化されて、各器具内の複数のセンサ情報を用いて協調動作させたいような場合、各器具自身がどのグループに属しているか、センサを所持しているか、いないか、また、そのセンサがどのようなセンサなのかをあらかじめ知っておくことが必要である。このような動作については、上記特許文献１では記載がなく、そのままでは対応できない。
【０００６】
例えば、同一制御グループ内に複数の明るさセンサがあるような場合、それぞれの明るさセンサの情報を親機が収集して平均化等の処理をする場合には、器具自身と、親機が明るさセンサの個数や、どの器具が明るさセンサを持っているか等をあらかじめ知っていないと、所望の制御動作は困難である。
【０００７】
また、各器具で複数の明るさセンサの情報を平均化するような処理をする場合には、器具自身が、明るさセンサが現状いくつ接続されているか等をあらかじめ知っていないと、所望の制御動作は困難である。
【０００８】
上記課題は、照明器具内に接続されているセンサが固定であれば、あらかじめ、照明器具に設定しておくことで対応可能であるが、自由にセンサを取り替えることができるような場合には、その手段は用いることができず、システム内の照明器具がどのセンサを接続しているかは動的には判断できないという問題がある。
【０００９】
本発明は、上記従来の事情に鑑みてなされたものであって、制御エリア変更に対応するための安価な照明制御システムであり、センサを動的に分離、取替え可能な照明システムを提供することを目的としている。
【課題を解決するための手段】
【００１０】
本発明の照明システムは、ランプ、前記ランプの点灯回路、照明制御空間内の情報を検出するセンサブロック、および前記センサブロックで検出した情報に基づいて前記点灯回路を制御する制御ブロックを含む複数の照明器具を有する照明システムであって、前記センサブロックは、前記照明制御空間内の情報を検出するセンサデバイスと、前記センサデバイスの種別情報を送信する第１の通信用インターフェイスとを有するとともに、前記照明器具に付け外し自在に取り付けられ、前記制御ブロックは、前記センサブロックと電力または通信の授受を行った場合に、前記センサデバイスの種別情報を受信する第２の通信用インターフェイスを有することを特徴とする。
【００１１】
上記構成によれば、有線で接続された制御ブロックとセンサブロックが動的に取り外し、接続が可能となり、センサ機能を取り替えることにより、制御エリアの変更等も容易に可能となる。また、制御ブロックとセンサブロックをシリアル通信とすることにより、センサブロックに複数機能を搭載しても制御ブロックとセンサブロックとの電気的な勘合部が少ない端子で構成可能となるので、高コストとなる構成部材を低コスト化できる。また、後に新しいセンサができたとしても、容易に接続可能となり、拡張性も確保される。
【００１２】
また、本発明の照明システムにおいて、前記センサブロックは、前記制御ブロックから取り外される場合に、前記制御ブロックに離脱情報を送信する離脱通知スイッチを備えることを特徴とする。
【００１３】
上記構成によれば、制御ブロックから取り外される場合に離脱情報を送信するので、制御ブロックにおけるセンサ離脱処理が可能となる。
【００１４】
また、本発明の照明システムにおいて、前記センサブロックは、前記照明制御空間内の検出情報に前記センサデバイスの種別情報を付加して前記制御ブロックに定期的に送信し、前記制御ブロックは、前記定期的な信号が所定期間受信されない場合に、前記センサブロックが取り外されたことを検出することを特徴とする。
【００１５】
上記構成によれば、センサ取り外し時にでもスイッチ等を操作する必要がなく、容易にセンサ離脱処理が可能となる。
【００１６】
また、本発明の照明システムは、前記センサブロックと前記制御ブロックとは無線で通信の授受を行うものであることを特徴とする。
【００１７】
上記構成によれば、制御ブロックとセンサブロックが無線での接続が可能となり、通信信号線の接続が省略できるため、器具にセンサブロック取付孔等を設けることなく両者の接続が可能となる。また、無線により、有線のような線長の制約を受けることなく、例えば、器具近辺ではなく、被照射面上の作業面や、壁面等、好きな場所にセンサブロックの設置が可能となる。
【００１８】
また、本発明の照明システムにおいて、前記センサブロックは、前記制御ブロックとＩＤ情報を交換するための設定スイッチを備えることを特徴とする。
【００１９】
上記構成によれば、制御ブロックとセンサブロックが互いのＩＤ情報を持ち合い、センサブロックは所望の制御ブロックのみに情報を送信することができる。
【００２０】
また、本発明の照明システムにおいて、前記センサブロックの動作電力は、非接触給電、バッテリー、太陽電池のうち、少なくとも１つ以上により供給されることを特徴とする。
【００２１】
上記構成によれば、センサブロックに太陽電池等の光電変換による発電素子で電源を作ることにより、電池の入替えや、電池切れによる動作不良から開放される。また、電磁誘導部品による非接触給電により、電池等の別電源を持つ必要がなくなる。この構成では、他の取り外し可能な形態では実現不可能な器具そのものにセンサブロックの挿入穴を設けることなく実現できる。
【００２２】
また、本発明の照明システムは、前記非接触給電、バッテリー、太陽電池の２つ以上を接続する複数のダイオードを備え、前記非接触給電、バッテリー、太陽電池のうちで電圧の高いものを前記センサブロックの動作用電源とすることを特徴とする。
【００２３】
上記構成によれば、太陽電池では電力が供給されないような夜間、消灯時でも確実に電力が供給され、例えば、電池切れの場合でも電池切れインジケータ等を動作させることができ、使用者へ通知することが可能となり、システムを安定して運用することが可能となる。また、別手段で電力供給ができるため、電池の消費が低減できるので、電池寿命を延ばすことができる。
【発明の効果】
【００２４】
以上説明したように、本発明にかかる照明システムによれば、有線で接続された制御ブロックとセンサブロックが動的に取り外し、接続、が可能となり、センサ機能を取り替えることにより、制御エリアの変更等も容易に可能となる。また、制御ブロックとセンサブロックをシリアル通信とすることにより、センサブロックに複数機能を搭載しても制御ブロックとセンサブロックとの電気的な接続部が少ない端子で構成可能となるので、高コストとなる構成部材を低コスト化できる。また、後に新しいセンサができたとしても、容易に接続可能となり、拡張性も確保される。
【００２５】
また、センサ取り外し時にでも別ＳＷ等を搭載し、操作しなくても容易にセンサ離脱処理が可能となる。
【００２６】
また、制御ブロックとセンサブロックが無線での接続が可能となり、通信信号線の接続が省略できるため、器具にセンサブロック取付孔等を設けることなく両者の接続が可能となる。また、無線により、有線のような線長の制約を受けることなく、例えば、器具近辺ではなく、被照射面上の作業面や、壁面等、好きな場所にセンサブロックの設置が可能となる。
【００２７】
また、センサブロックに太陽電池等受光素子で電源を作ることにより、電池の入替えや、電池切れによる動作不良から開放される。
【００２８】
また、電磁誘導部品による非接触給電により、電池等の別電源を持つ必要がなくなる。この構成では、他の取り外し可能な形態では実現不可能な器具そのものにセンサブロックの挿入穴を設けることなく実現できるという特徴がある。
【００２９】
さらに、太陽電池では電力が供給されないような夜間、消灯時でも確実に電力が供給され、例えば、電池切れの場合でも電池切れインジケータ等を動作させることができ、使用者へ通知することが可能となり、システムを安定して運用することが可能となる。また、別手段で電力供給ができるため、電池の消費が低減できるので、電池寿命を延ばすことができる。
【発明を実施するための最良の形態】
【００３０】
[第１の実施の形態]
図１は、本発明の第１の実施形態にかかる照明器具１２の概略構成を説明するための図である。照明器具１２は、ランプ１６、点灯回路（インバータ）１５と、それを制御するための制御ブロック１３とで構成される。
【００３１】
制御ブロック１３は、センサ情報を用いて点灯回路１５を制御する制御手段１７としてマイクロコンピュータと、センサ情報を記憶しておく記憶手段１８としてメモリと、センサブロック１４との通信インターフェイス１９を持つ。
【００３２】
センサブロック１４には、センサデバイス素子２２、例えば、明るさを検出する受光素子や、人が持つ熱変化を検出して人を検出する熱検出センサ等を持ち、そのセンサの物理量を所望の検知情報に変換する制御手段２１としてマイクロコンピュータと、制御ブロック１３と通信をするための通信インターフェイス２０を持つ。通信インターフェイス１９，２０は、電源とＧＮＤと信号線で構成されており、センサブロック１４への電源供給も行う。
【００３３】
センサブロック１４は、自分がどのセンサを持っているかは、あらかじめ記憶している。センサブロック１４は制御ブロック１３に接続されると同時に電源の供給も受けるので、マイクロコンピュータが起動する。
【００３４】
センサブロック１４のマイクロコンピュータは起動すると、まず、自分のセンサ種別を制御ブロック１３に送信する。制御ブロック１３のマイクロコンピュータはそのセンサ種別を記憶しておき、必要に応じて点灯回路１５の制御に用いることが可能となる。
【００３５】
センサブロック１４には離脱通知ＳＷ２３を設けておき、センサブロック１４が取り外される場合は、このＳＷ２３をあらかじめ操作することにより、センサブロック１４は制御ブロック１３に対して、離脱する離脱情報を送信する。センサブロック１４の離脱通知ＳＷ２３は、独立したＳＷや釦でも構わないし、取り外す時の構造的なロック解除釦等と共通化することも可能である。
【００３６】
点灯回路１５と、制御ブロック１３は別ブロックであっても、同一ブロックであっても構わない。制御ブロック１３は点灯回路１５から電源を供給されても、内部で電源を作っても構わない。制御ブロック１３内の記憶手段１８は、不揮発性メモリ（フラッシュＲＯＭ）であっても、一次記憶メモリ（ＲＡＭ）であっても構わない。
【００３７】
図２、図３および図４は、本発明の第１の実施形態における制御ブロック１３とセンサブロック１４の通信インターフェイス１９，２０の例を説明するための図である。この通信インターフェイス１９，２０は、汎用の部品であるトランジスタや抵抗等を用いて容易に実現できる一般的な回路構成であり、この発明の本質ではないので、詳細は割愛する。
【００３８】
すなわち、通信インターフェイス１９，２０は、送信と受信を独立させた電源で構成することができ、また、図２に示すように、電源線２９、信号線３０，３１にＧＮＤ線３２を含めた４線の接続であってもよい。
【００３９】
また、図３に示すように、電源線２９、送信と受信を合成した信号線３６およびＧＮＤ線３２の３線の接続であっても、図４に示すように、電源のレベルを複数通りに変化させて通信を行うことにより、信号線３６とＧＮＤ線３２の２線等でも実現でき、通信線形態には制約を受けない。
【００４０】
また、ランプ１６および点灯回路１５から構成される器具１２と、制御ブロック１３およびセンサブロック１４からなるセンサ制御ブロックとに分離した構成でも同様に実現可能である。
【００４１】
図５は、本発明の第１の実施形態にかかる照明器具１２におけるセンサブロック１４の動作シーケンスを示す。すなわち、センサブロック１４は制御ブロック１３に接続されると同時に電源の供給（ステップＳ１１）も受けるので、マイクロコンピュータ３５が起動する（ステップＳ１２）。
【００４２】
センサブロック１４のマイクロコンピュータ３５は起動すると、まず、自分のセンサ種別を制御ブロック１３に送信する（ステップＳ１３）。制御ブロック１３のマイクロコンピュータ２６はそのセンサ種別を記憶しておき、必要に応じて点灯回路１５の制御に用いることが可能となる。センサブロック１４が取り外される場合は、離脱ＳＷ２３を入力（ステップＳ１４）することにより、センサブロック１４は制御ブロック１３に対して、離脱する離脱情報を送信する（ステップＳ１５）。
【００４３】
第１の実施の形態では、有線で接続された制御ブロック１３とセンサブロック１４が動的に取り外し、接続が可能となり、センサ機能を取り替えることにより、制御エリアの変更等も容易に可能となる。
【００４４】
制御ブロック１３とセンサブロック１４をシリアル通信とすることにより、センサブロック１４に複数機能を搭載しても制御ブロック１３とセンサブロック１４との電気的な勘合部が少ない端子で構成可能となるので、高コストとなる構成部材を低コスト化できる。また、後に新しいセンサができたとしても、容易に接続可能となり、拡張性も確保される。
【００４５】
[第２の実施の形態]
本発明の第２の実施形態にかかる照明器具１２は、第１の実施形態と同様な構成で、センサブロック１４からのセンサ種別の送信方法が異なる方法である。図６は、本発明の第２の実施形態にかかるセンサブロック１４からのセンサ種別の送信方法の動作シーケンスを示す。
【００４６】
センサブロック１４は制御ブロック１３に接続されると同時に電源の供給（ステップＳ２１）も受けるので、マイクロコンピュータ３５が起動する（ステップＳ２２）。ステップＳ２３，Ｓ２４に示すように、センサブロック１４はセンサ情報を制御ブロック１３に送信する時に常にセンサ種別を付けて送信する。センサブロック１４は定期的（例えば、期間ｔ１）に検知情報信号を送信する（人検知情報や、明るさレベル等）。
【００４７】
制御ブロック１３は、定期的に受信するセンサ種別情報を読み取り、自分に接続されているセンサを識別でき、定期的な信号が一定期間ない場合（例えば、期間ｔ２）には、センサブロックが取り外されたことが理解できる（ステップＳ２８，Ｓ２９）。
【００４８】
制御ブロック１３のセンサ離脱判断をするための一定期間ｔａはセンサブロック１４からの定期的な信号の間隔ｔ１よりも長く設定されている。センサブロック１４が定期的に送る信号がないような場合には、ステップＳ２５〜Ｓ２７に示すように、センサ種別を含むようなセンサ情報を持たないダミー信号でも構わない。
【００４９】
人検知センサであれば、人検知情報がない場合にはダミー信号を送信する。明るさセンサであれば、明るさ情報を送信する。リモコンであれば、リモコン情報がない場合は、ダミー信号を送信する。上記、人検知センサ、明るさセンサ、リモコンに限らず、センサブロック１４の情報と、ダミー信号を組み合わせることにより、上記機能は実現可能である。
【００５０】
第２の実施の形態では、センサ取り外し時にでも別ＳＷ等を搭載し、操作しなくても容易にセンサ離脱処理が可能となる。
【００５１】
[第３の実施の形態]
図７は、本発明の第３の実施形態にかかる照明器具の概略構成を説明するための図である。本発明の第３の実施形態にかかる照明器具は、第１、２の実施形態の通信インターフェイスが有線であったのに対して、通信インターフェイスを無線通信手段４２，４４で実現するものである。
【００５２】
本実施形態の照明器具において、通信インターフェイスには無線通信手段４２，４４を用いる。センサブロック１４には電源として電池４５を持つ。センサの接続による電力供給がセンサブロック１４の動作開始のトリガになるのではなくセンサブロック１４に搭載されている電源ＳＷ４６等で動作開始する。
【００５３】
制御ブロック１３とセンサブロック１４は互いのＩＤ情報を持ち合うことにより、センサブロック１４は所望の制御ブロック１３のみに情報を送信する。ＩＤ情報の交換の例は、制御ブロック１３、センサブロック１４に設定ＳＷ４７を設けて、その間に情報交換をする。
【００５４】
この場合には、第２の実施形態の通信手順を用いることにより実現できる。図８は、制御ブロック１３とセンサブロック１４間におけるＩＤ情報の交換の例を示すシーケンスである。また、電源ＯＦＦ時に１回送信できる電力をコンデンサ等に蓄積しておき、電源ＯＦＦを検知したら離脱情報を送信する。無線通信手段４２，４４には依存しない。
【００５５】
ＩＤ情報の交換の例２は、所望の制御ブロック１３にセンサブロック１４を近づけ、センサブロック１４の設定ＳＷ４７を押した時に出力を絞り、自分のＩＤ情報を送信することにより、他の制御ブロック１３へはこのセンサブロック１４のＩＤ情報は届かなくすることができる。それに続いて、制御ブロック１３からＩＤ情報を送信して、設定ＳＷ４７が押されたセンサブロック１４だけがこのＩＤ情報を読み込むことにより、お互いのＩＤ情報を確実に交換できる。特別、ＩＤ交換の手段には依存しない。
【００５６】
第３の実施の形態では、制御ブロック１３とセンサブロック１４が無線での接続が可能となり、通信信号線の接続が省略できるため、器具にセンサブロック取付孔等を設けることなく両者の接続が可能となる。
【００５７】
また、無線により、有線のような線長の制約を受けることなく、例えば、器具近辺ではなく、被照射面上の作業面や、壁面等、好きな場所にセンサブロック１４の設置が可能となる。
【００５８】
[第４の実施の形態]
図９は、本発明の第４の実施形態にかかる照明器具１２の概略構成を説明するための図である。本実施形態の照明器具１２は、第３の実施の形態での電池４５の代わりに、太陽電池５１で受光した光から電源を作るものである。太陽電池５１は、光を入力すると、電力（電圧、または電流）を出力することができる素子であるので、この電力を用いて、センサブロック１４の電源とする。
【００５９】
第４の実施の形態では、センサブロック１４に太陽電池５１等受光素子で電源を作ることにより、電池の入替えや、電池切れによる動作不良から開放される。
【００６０】
[第５の実施の形態]
図１０および図１１は、本発明の第５の実施形態にかかる照明器具１２の概略構成を説明するための図である。本実施形態の照明器具１２は、第３の実施の形態での電池４５の代わりに、トランスのコア５３，５５を含めて分割された電磁誘導部品を制御ブロック１３とセンサブロック１４がお互いに持ち合い、その電磁誘導部品のコア５３，５５が閉磁路となるような状態で近づけられた時に、電力の供給が可能となり、それをセンサブロック１４の電源とするものである。
【００６１】
電源供給手段５２は、一般的なコイル、コンデンサから構成される発振手段６３とトランジスタ等で構成されるスイッチング手段６２から構成され、内部で作成された直流電源６１を発振手段６３とスイッチング回路６２で交流波形に変換し、電磁誘導部品に送電する。
【００６２】
電源受電手段５６は、一般的な交流−直流変換回路で、ダイオード６４等で整流し、コンデンサ６５で平滑化することにより容易に実現できる。この電源供給手段５２、電源受電手段５６は一般的なものであり、この例により制約を受けるものではない。特に、発振手段６３は制御ブロック１３内のマイクロコンピュータ２６の一機能である、パルス出力等を利用することにより、別発振手段を設けることなく実現が可能となる。
【００６３】
第５の実施の形態では、電磁誘導部品による非接触給電により、電池等の別電源を持つ必要がなくなる。この構成では、他の取り外し可能な形態では実現不可能な器具そのものにセンサブロック１４の挿入穴を設けることなく実現できるという特徴がある。
【００６４】
[第６の実施の形態]
図１２は、本発明の第６の実施形態にかかる照明器具の概略構成を説明するための図である。本実施形態の照明器具は、第３の実施の形態のセンサブロック１４内で、電池７２、太陽電池７４、電磁誘導部品（トランスコア５５および電源受電手段５６等）のうち、２つ以上の電力発生装置をダイオード７１，７３，７５で接続する。
【００６５】
そして、ダイオード７１，７３，７５で接続されている電力発生装置で、その電圧の高いものをセンサブロック１４の動作用電源とするものである。電池７２、太陽電池７４、電磁誘導部品５５，５６以外の電力発生装置でも同様の動作ができるものであれば、利用可能である。
【００６６】
第６の実施の形態では、太陽電池７４では電力が供給されないような夜間、消灯時でも確実に電力が供給され、例えば、電池７２切れの場合でも電池切れインジケータ等を動作させることができ、使用者へ通知することが可能となり、システムを安定して運用することが可能となる。また、別手段で電力供給ができるため、電池７２の消費が低減できるので、電池寿命を延ばすことができる。
【産業上の利用可能性】
【００６７】
本発明は、制御エリア変更に対応するための安価な照明制御システムであり、センサを動的に分離、取替え可能な照明システムとして利用可能である。
【図面の簡単な説明】
【００６８】
【図１】本発明の第１の実施形態にかかる照明器具１２のブロック構成例
【図２】本発明の第１の実施形態にかかる照明器具１２の通信インターフェイスの例１
【図３】本発明の第１の実施形態にかかる照明器具１２の通信インターフェイスの例２
【図４】本発明の第１の実施形態にかかる照明器具１２の通信インターフェイスの例３
【図５】本発明の第１の実施形態にかかる照明器具１２のセンサブロック１４における動作シーケンスの例
【図６】本発明の第２の実施形態にかかる照明器具１２のセンサブロック１４、制御ブロック１３の動作シーケンス例
【図７】本発明の第３の実施形態にかかる照明器具のブロック構成例
【図８】本発明の第３の実施形態にかかる照明器具のセンサブロック１４、制御ブロック１３の動作シーケンス例
【図９】本発明の第４の実施形態にかかる照明器具のセンサブロック１４の構成例
【図１０】本発明の第５の実施形態にかかる照明器具１２のセンサブロック１４、制御ブロック１３のブロック構成例
【図１１】本発明の第５の実施形態にかかる照明器具１２の電源供給手段５２、電源受電手段５６のブロック構成例
【図１２】本発明の第６の実施形態にかかる照明器具のセンサブロック１４のブロック構成例
【符号の説明】
【００６９】
１１  交流電源
１２  照明器具
１３  制御ブロック
１４  センサブロック
１５  点灯回路
１６  ランプ
１７，２１  制御手段
１８  記憶手段
１９，２０  通信インターフェイス
２２  センサ素子
２３  離脱通知ＳＷ
２５，６１  直流電源
２６，３５  マイクロコンピュータ
２７，２８，３３，３４  バッファ
２９  電源線
３０，３１，３６  信号線
３２  ＧＮＤ線
４１，４３  アンテナ
４２，４４，５４，５７  無線通信手段
４５，７２  電池
４６  電源ＳＷ
４７  設定ＳＷ
５１，７４  太陽電池
５２  電源供給手段
５３，５５  トランスコア
５６  電源受電手段
６２  スイッチング手段
６３  発振手段
６４  ダイオードブリッジ
６５  コンデンサ
７１，７１，７５  ダイオード
【図１】
2009170254.tif 000003
【図２】
2009170254.tif 000004
【図３】
2009170254.tif 000005
【図４】
2009170254.tif 000006
【図５】
2009170254.tif 000007
【図６】
2009170254.tif 000008
【図７】
2009170254.tif 000009
【図８】
2009170254.tif 000010
【図９】
2009170254.tif 000011
【図１０】
2009170254.tif 000012
【図１１】
2009170254.tif 000013
【図１２】
2009170254.tif 000014